(57)【要約】【課題】  良好な装用感を持ち、かつ遠方視および近方視ともにクリアな視界と満足な見え方の質を持つ２焦点コンタクトレンズを提供する。【解決手段】  円形状の中央光学部が遠方視矯正度数を持ち, その外周に位置する円環状の周辺光学部が近方矯正度数を持つ一方、さらに外周に位置する非光学領域であるレンズ外周部分に、変曲部を設けたことを特徴とし、前記周辺光学部と前記レンズ外周部の接続部の曲率方向の厚みＴj （ｍｍ）が、各々の屈折度数Ｐ（Ｄ；ジオプトリー）の範囲において、次式                        ０．１５≦Ｔj ≦０．２５                            Ｐ≧−６．００  −０．０１８×Ｐ＋０．０４３２≦Ｔj ≦−０．０１８×Ｐ＋０．１４３２                            Ｐ＜−６．００で規定される範囲にあることを特徴とする２焦点コンタクトレンズ。【選択図】        図１
2005202107.tif 000002
【特許請求の範囲】
【請求項１】
円形状の中央光学部とその外周に位置する円環状の周辺光学部、およびさらに外周に位置する非光学部領域であるレンズ外周部分からなるコンタクトレンズにおいて、前記中央光学部が遠方視矯正度数を持ち、前記周辺光学部が近方矯正度数を持つ一方、前記レンズ外周部分内に変曲部を設けたことを特徴とする２焦点コンタクトレンズ。
【請求項２】
変曲部がレンズパラメータに対し曲率方向の厚みを一定としたことを特徴とする請求項１に記載のコンタクトレンズ。
【請求項３】
周辺光学部と前記レンズ外周部の接続部の曲率方向の厚みＴj （ｍｍ）が、中央光学部の屈折度数Ｐ（Ｄ；ジオプトリー）の範囲において、次式で規定される範囲にあることを特徴とする請求項１または２に記載のコンタクトレンズ。
０．１５≦Ｔj ≦０．２５
Ｐ≧−６．００
−０．０１８×Ｐ＋０．０４３２≦Ｔj ≦−０．０１８×Ｐ＋０．１４３２
Ｐ＜−６．００
【請求項４】
中央光学部の径が３．０〜４．５ｍｍであることを特徴とする請求項１〜３に記載のコンタクトレンズ。
【請求項５】
変曲部の曲率方向の厚みが０．１２〜０．２０ｍｍであることを特徴とする請求項１〜４に記載のコンタクトレンズ。
【発明の詳細な説明】
【技術分野】
【０００１】
本発明は、遠方視矯正度数と近方視矯正度数を有する２焦点コンタクトレンズに関する。
【背景技術】
【０００２】
従来から、水晶体の調節力の衰えによる老視等に、その機能を補うべく２焦点もしくは多焦点のコンタクトレンズが開発されてきた。
それらのレンズには、レンズの上部に遠方視矯正度数を設け、下部に近方視矯正度数を設けることにより、視線移動によって、遠方と近方を見分ける交替視タイプの物や、同心円状に別々の度数を設け装用者の脳での知覚判断によって遠方と近方とを見分ける同時視タイプのものがある。同時視タイプのレンズには、同心円状の円環部を多数設けることや光学部を非球面加工することで多焦点化したものや、回折格子を利用することで２焦点もしくは多焦点レンズとして提案されたものもある。
【０００３】
ところが、従来の交替視タイプのものは、それぞれ別々の領域で見分けるため、クリアな視界とシャープな結像性を持つものの、レンズを上下方向のあらかじめ設定された向きに安定させるためプリズムバラストを付加させることで、通常の単焦点レンズよりもレンズ厚みが厚くなる傾向にあったり、遠方を見るための領域（遠方視領域）と近方を見るための領域（近方視領域）の曲率差の為、上下の分割位置に段差を持つ形状となっていた。このため、装用感は単焦点レンズよりも悪く感じられることも多く、特に、コンタクトレンズ初心者には、慣れるまでに装用をあきらめてしまうケースもしばしばあった。また、処方に関しても熟練を要し、安定位置や動きを予想しつつ、コンタクトレンズの径、内面曲率、上下の分割位置等多岐に渡るパラメータ調整を要求される。さらに、この形状のコンタクトレンズの加工は非常に手間がかかるため、生産コストが非常に高くなっている。
【０００４】
一方、同時視タイプのものは、基本構造が単焦点レンズのものに近いため、比較的良好な装用感を得られ、なおかつ生産性が高いため主流になりつつあるが、矯正されるべき領域とは別の領域からの光線がぼやけた像となり、シャープな結像を得ることができない傾向にある。また、瞳孔に入射する光線を分割させるため、個人差の多い瞳孔径に対し、それぞれの領域を個人個人の生活習慣や希望の見え方に適した微調整をする必要があったり、もしくは遠方ないし近方のどちらかの見え方に妥協が必要とされるケースもあり、例えば、中央光学部が遠方視領域で周辺光学部が近方視に設定されたコンタクトレンズの場合、コンタクトレンズと瞳孔の中心とをほぼ一致するさせるために、コンタクトレンズの直径や内面曲率半径を決定する処方、所謂センタリングの良好な処方を行うが、この状態で、遠方と近方の光線入射量を患者の希望する視点位置つまり、近方視を重視するか遠方視を重視するかによって中央光学部の径を選択する。この径は、患者の一般的な瞳孔径からせいぜい３．５ｍｍ程度までしか拡大できず、これを越えると近方視に影響を与え、近くを見ようとした場合の視野が狭くなったり、見えが悪くなる傾向になる。逆に、近くの見えを重視しようとして中央光学部を小さくすると、近方は良好な視界が得られるものの、遠方の視界が狭くなり見え方が悪くなる傾向になる。
多焦点化したものについても基本的に同様であり、視点の領域を増やしているためそれぞれの矯正領域での光線入射量が減ることにより、視界や見え方の質が下がる結果となってしまっている。また、回折格子のものは高次回折による光線損失によってコントラスト感度低下があり、全体に薄暗く感じることになり実用には適していない。
したがって、同時視タイプ全般に、視界や見え方の質については実用範囲にはありながらも、妥協を必要とされ、交替視タイプを越えることはできていなかった。
【発明の開示】
【発明が解決しようとする課題】
【０００５】
本発明は、良好な装用感を持ち、かつ遠方視および近方視ともにクリアな視界と満足な見え方の質を持つ２焦点コンタクトレンズを提供することを目的とするものである。
【課題を解決するための手段】
【０００６】
本発明者らは、同心円状コンタクトレンズのレンズ外周部分のデザインを種々検討した結果、遠方視時には同時視的な、近方視時には交替視的な形態で使用可能な装用感に優れた２焦点コンタクトレンズの完成に至った。
即ち本発明は、円形状の中央光学部とその外周に位置する円環状の周辺光学部および、さらに外周に位置する非光学領域であるレンズ外周部分からなり、前記中央光学部が遠方視矯正度数を持ち、前記周辺光学部が近方矯正度数を持つ一方、前記レンズ外周部分内に、変曲部を設けたことを特徴とする２焦点コンタクトレンズに関するものである。
また、前記周辺光学部と前記レンズ外周部の接続部の曲率方向の厚みＴj （ｍｍ）が、各々の屈折度数Ｐ（Ｄ；ジオプトリー）の範囲において、次式
０．１５≦Ｔj ≦０．２５
Ｐ≧−６．００
−０．０１８×Ｐ＋０．０４３２≦Ｔj ≦−０．０１８×Ｐ＋０．１４３２
Ｐ＜−６．００
で規定される範囲にあることを特徴とする２焦点コンタクトレンズに関するものである。
【発明の効果】
【０００７】
本発明の２焦点コンタクトレンズは、従来からの交替視型の装用感を改善し、なおかつ遠方視および近方視の見えをはじめ、瞬目後の見え、視界の安定性、脱着の容易さにも優れたコンタクトレンズを提供することができる。また、生産方法においても、上下の切り分けを必要としないばかりか一括で加工可能であるため、大幅な増産および低コスト化が可能であり、安価な２焦点コンタクトレンズを安定して供給することができる。
【発明を実施するための最良の形態】
【０００８】
以下、本発明を詳細に説明する。
本発明のコンタクトレンズは図１に示すように、大きく分けて、中央部分に配置される光学部とその周辺に配置される非光学部領域であるレンズ外周部分１２からなり、光学部は更に円形状の遠方視矯正度数を持つ中央光学部１０とその外周に配置された円環状の近用矯正度数を持つ周辺光学部１１よりなる。中央光学部径は、近方視に影響を与えない最大の径を選択することができる。具体的には３．０〜４．５ｍｍの径である場合に良好な視界および視力を得ることができる。３．０ｍｍよりも小さい場合は、遠方を見る際の視野が狭くなり実用上不便を感じるようになる。また、４．５ｍｍよりも大きい場合は、近方を見た場合に、遠方視領域が影響し視界が狭くなり、近方視に不都合を感じるようになる。３．５〜４．０ｍｍの径である時に、遠方視と近方視のバランスが良好になりより好ましい。
【０００９】
周辺光学部の径は、中央光学部径およびレンズ外径に応じて決められるが、視野に影響を受けない範囲およびレンズ外周部分の形状を確保できる範囲である必要がある。具体的には、７．５〜９．０ｍｍの範囲であることが好ましく、レンズ形状のバランス、近方視の得やすさからから、７．８〜８．４ｍｍの範囲であることがより好ましい。レンズ外周部分は、レンズ外径と周辺光学部との間の領域であり、図１においてトーンで図示された変曲部１３を含んでいる。レンズ外径は、センタリングを良好にするため、９．０〜１０．０ｍｍの範囲のものが好ましく、涙液交換や脱着の容易さなどの点から、９．４〜９．８ｍｍの範囲のものがより好ましい。
レンズ外周部分内の変曲部は、遠方視と近方視をより良くコントロールするために設けられ、装用感に影響を及ぼさない範囲で、レンズ外周部分に下眼瞼等と接触ないし影響を受けやすくする部分である。この変曲部は、レンズ外周部分に任意に設けることができるが、レンズパラメータに対し曲率方向の厚みを一定とすることで、装用感を統一でき、左右で矯正度数の異なるコンタクトレンズを装用した場合でも違和感を低減させられる。また、設計を簡便にでき、生産の効率も上がる。
【００１０】
従来のコンタクトレンズ周辺部分の形状は、例えば図２に示したように、多くの場合光学部と周辺部分の接続部２１からレンズの縁にかけてひとつの曲率Ｒp もしくは非球面等で加工される。本発明のコンタクトレンズは、この部分に変曲部を設けるが、その形状は、例えば図３に示すような鷲の嘴状の形状、つまりより大きな曲率Ｒ1 の外周部に小さな曲率Ｒ2 を設け、その間を更に別の曲率Ｒm で補間する形状や、図４に示すような段差のある２つの曲率を凸と凹の連続カーブで補間する俗にいうタンジェンシャルカーブ３１の形状などが挙げられる。
この変曲部の厚みＴm は、０．１２〜０．２０ｍｍの範囲での一定値とすることが好ましく、より好ましくは０．１４〜０．１８ｍｍの範囲である。また、変曲部を設ける位置は、コンタクトレンズの直径や内面曲率、患者の眼の形状によって変更することができるが、一般的には外周部分の中間点よりも外側に設ける。外周部分外側３分の１から４分の１の領域に配置すると、近方視時の瞬目後の見え、視界の安定性等が優れるため好ましい。ただし、患者の眼の形状は千差万別であり、この例に限定されるわけではない。
【００１１】
遠方視と近方視の切り替えは、外周部分に変曲部を設けることで優れたものになるが、コンタクトレンズの矯正度数によって全体の形状が変わるため、図５に示したように、周辺光学部と外周部分の接続部２１の曲率方向の厚みＴj （ｍｍ）が、各々の屈折度数Ｐ（Ｄ；ジオプトリー）の範囲において、
０．１５≦Ｔj ≦０．２５
Ｐ≧−６．００
−０．０１８×Ｐ＋０．０４３２≦Ｔj ≦−０．０１８×Ｐ＋０．１４３２
Ｐ＜−６．００
となっていることがより好ましい。
特にＰ＞０では、凸レンズになるため、周辺部分の厚みが薄くなる傾向にあり、単焦点レンズの加工を行う際には、レンズ中心の曲率よりも周辺部分の曲率を大きくしたレンチキュラー形状を採用することが多いが、本発明のコンタクトレンズにその形状をそのまま当てはめると、上眼瞼でレンズをくわえ込みやすくなり、角膜中心へ戻るまでの時間がかかるようになる。そのため、周辺光学部と外周部分の接続部分の厚みを一定以上確保し、レンチキュラーが極端にならないようにすることで、瞬目から視力が安定するまでの時間を短くすることができる。また、Ｐ＜−６．００においては、凹レンズとなるため、周辺光学部と周辺部分の接続部の厚みが厚くなっていくが、装用感と交替視を両立させるためには、前記範囲内で、全体の厚みを薄くすることでより好ましい効果が得られる。
【００１２】
本発明のコンタクトレンズは、遠方を観察する時には同時視タイプと同様、レンズと瞳孔中心がほぼ一致した状態で使用するが、近方視を行う際にはレンズ外周部分に設けた変曲部の作用により視領域を偏移させる。図７および図８は、本発明のコンタクトレンズの使用状態を簡略的に示したもので、斜線の円が瞳孔を示している。図７が遠方視時であり、図８が近方視時である。図７に示すように遠方を見る際には中央光学部１０と瞳孔１４の中心とをほぼ一致させた状態つまり同時視的な状態で使用し、近方を見る際には図８に示すように、周辺光学部１１が瞳孔１４に重なるようコンタクトレンズを偏移させることで交替視的な状態で使用する。なお、図８は近方視時に患者の調整が働き、瞳孔が縮小していることも示している。これにより同時視タイプの見えの欠点を補うことが可能であり、また交替視タイプの装用感を改善することができる。
【実施例】
【００１３】
次に実施例および比較例によって本発明を説明する。実施例での評価はそれぞれ以下の方法で行なった。
瞬目後の見え方は、それぞれ５ｍ視力表と３０〜５０ｃｍにある指標を観察しながら瞬目し、開眼後すぐに読取れる場合は普通とし、少しタイムラグは感じるが実用上問題のない範囲であれば不満のないレベル、上眼瞼に引っ張られて視力の安定に時間がかかり不満を感じるレベルとして、５回試行を繰り返し、被験者４名による平均の自覚的所見で判断を行なった。
また、視界の安定性は、レンズが安定し視力が得られた後、開眼したままの状態で次の自然な瞬目まで安定して指標が判別できる場合を普通とし、意図して開眼時間を長くしても問題ない場合を良好とした。レンズがずれて読取りが困難になる場合を不満の感じるレベルとして５回試行を繰り返し、被験者４名による平均の自覚的所見で判断を行なった。
装用感および装着の容易さは、ハードレンズ初心者の被験者に対し、初期装用感および３０分経過後の装用感の両方で判断してもらい、脱着に付いては、１回で楽に外せるものを良好とし、数回試行しても外しづらいものを不満を感じるレベルとし処方初日と７日後に試行を繰り返し、被験者の自覚的所見で判断を行なった。
【００１４】
［実施例１］
基本パラメータが内面曲率７．９０ｍｍ、直径９．６０ｍｍ、遠方矯正度数＋０．５０、加入度数１．５Ｄであり、中央光学部径を４．０ｍｍ、周辺光学部径を８．０ｍｍ、Ｔj ＝０．２ｍｍに設定し、変曲部の様態を図３の形状とし、その数値をＲ1 ＝７．９２ｍｍ、Ｒ2 ＝６．２２ｍｍ、Ｒm ＝０．５ｍｍ、Ｔm ＝０．１６ｍｍである２焦点コンタクトレンズを設計、超精密旋盤にて切削、研磨を行なうことで装用可能なレンズとして仕上げた。その後、装用試験を行ない、瞬目後の見え方、視界の安定性、装用感、脱着の容易さを確認したところ、下記表１の結果が得られた。
［実施例２］
実施例１と同じ基本パラメータを持ち、中央光学部径４．０ｍｍ、周辺光学部径８．０ｍｍに設定し、Ｔj を０．１５ｍｍにした、変曲部形状がＲ1 ＝８．６３ｍｍ、Ｒ2 ＝６．２２ｍｍ、Ｒm ＝０．８ｍｍ、Ｔm ＝０．１６ｍｍとして設計した２焦点コンタクトレンズを前記手法と同一の加工方法で作製、装用した結果を実施例２として下記表１に併せて記載した。
【００１５】
［比較例１］
図２の周辺形状を持つ、周辺部分以外は実施例１と同じデザインの２焦点コンタクトレンズを比較対象として下記表１に併せて記載した。
［比較例２］
実施例１と同じ矯正度数を持つ上下分割形状の交替視タイプ２焦点コンタクトレンズを比較対象として下記表１に併せて記載した。
【００１６】
【表１】
2005202107.tif 000003
【００１７】
表１の結果からも明らかなように、本発明の周辺部分の形状によって瞬目後の見え、視界の安定性、脱着の容易さが改善されている。また、従来の交替視型に対しては装用感も向上している。これに対し、比較例１のものは瞬目後視力安定までに時間がかかり、安定して見える場合と見づらい場合の差もあった。さらに、処方時のセンタリングは良好であるにも関わらず、開眼時間が長くなるとレンズが下方に徐々にずれていくため、遠方視領域から近方視領域へ意図せずにずれてしまうこともしばしばあった。比較例２については、被験者がハードレンズ初心者であったため、装用感での評価が低かった。
【００１８】
［実施例３］
図３の変曲部を持つ内面曲率７．９０ｍｍ、直径９．８０ｍｍ、遠方矯正度数−４．５０、加入度数１．５Ｄ、であり、周辺光学部径を８．０ｍｍ、Ｔj ＝０．２ｍｍ、Ｒ1 ＝７．７２ｍｍ、Ｒ2 ＝６．３１ｍｍ、Ｒm ＝０．８ｍｍ、Ｔm ＝０．１６として変曲部を設計、このときの中央光学部径を３．２ｍｍ、３．６ｍｍ、４．０ｍｍ、４．４ｍｍとして４種類のレンズ設計を行ない、超精密旋盤にて切削、研磨を行なうことで装用可能なレンズとして仕上げた。装用試験において、見え方を確認したところ、下記表２の結果が得られた。
［比較例３］
また、実施例３と同じパラメータを持つ、中央光学部径２．８ｍｍ、４．８ｍｍとしたものを比較として下記表２に併せて記載した。
【００１９】
【表２】
2005202107.tif 000004
【００２０】
表２の結果からも明らかなように、実施例では３．６ｍｍおよび４．０ｍｍが良好である。矯正視力も遠方、近方ともに１．０以上を得ることができている。また、視野に関しても難を感じることはなかった。対して、中央光学部径を十分に確保できない場合は遠方視に、中央光学部が大きすぎる場合は近方視に、それぞれ難が生じており、矯正視力も０．３以下に留まった。
【産業上の利用可能性】
【００２１】
本発明のコンタクトレンズは、水晶体の調節力を補償する用途に有用であり、特に老視用コンタクトレンズに適している。
【図面の簡単な説明】
【００２２】
【図１】本発明の２焦点コンタクトレンズの実施例を示す正面図である。
【図２】通常のコンタクトレンズ設計での外周部分の断面図である。
【図３】本発明の２焦点コンタクトレンズの様態を示す外周部分の断面図である。
【図４】本発明の２焦点コンタクトレンズの他の様態を示す外周部分の断面図である。
【図５】本発明の２焦点コンタクトレンズのレンチキュラー形状を示す外周部分の断面図である。
【図６】本発明の２焦点コンタクトレンズの様態を示す外周部分の断面図である。
【図７】遠方視をおこなった際の瞳孔位置を表した簡略図である。
【図８】近方視をおこなった際の瞳孔位置を表した簡略図である。
【符号の説明】
【００２３】
１０  円形状の中央光学部
１１  円環状の周辺光学部
１２  レンズ外周部分
１３  変曲部
１４  瞳孔位置
２１  円環状周辺光学部と外周部分の接続部
３１  タンジェンシャルカーブ
Ｒp   周辺曲率
Ｒ1   外周部分の曲率（大）
Ｒ2   外周部分の曲率（小）
Ｒm   Ｒ1 とＲ2 を補間する曲率
Ｔj   接続部でのレンズ厚み
Ｔm   変曲部のレンズ厚み
【図１】
2005202107.tif 000005
【図２】
2005202107.tif 000006
【図３】
2005202107.tif 000007
【図４】
2005202107.tif 000008
【図５】
2005202107.tif 000009
【図６】
2005202107.tif 000010
【図７】
2005202107.tif 000011
【図８】
2005202107.tif 000012